(57)【要約】【課題】  画像情報からの選択性を生かした画像情報が得られ、利便性を向上させ、しかも低消費電力で実現できる有機エレクトロルミネセンス表示装置を提供する。【解決手段】  器体の一面に露出して押操作により動作するハンドルを有し、且つハンドルの動作に伴って開閉する接点装置を有するシーソースイッチ６と、このハンドル上に画像表示面を露出させて設置され、且つ画像表示面の押操作に対応してハンドルの動作に連動して画像情報を表示する有機エレクトロルミネセンス表示パネルからなるスイッチパネル５と、このスイッチパネル５の背面に設置され、且つ画像情報の表示の制御を行う駆動回路が搭載された駆動回路基板７とから構成する。【選択図】  図１
2006073387.tif 000002
【特許請求の範囲】
【請求項１】
器体の一面に露出して押操作により動作するハンドルを有し、且つ前記ハンドルの動作に伴って開閉する接点装置を有するスイッチと、
前記ハンドル上に画像表示面を露出させて設置され、且つ前記画像表示面の押操作に対応して前記ハンドルの動作に連動して画像情報を表示する有機エレクトロルミネセンス表示パネルからなるスイッチパネルと、
前記スイッチパネルの背面に設置され、且つ前記画像情報の表示の制御を行う駆動回路が搭載された駆動回路基板と、
を備えたことを特徴とするエレクトロルミネセンス表示装置。
【請求項２】
前記スイッチをシーソースイッチとしたことを特徴とする請求項１に記載のエレクトロルミネセンス表示装置。
【請求項３】
前記スイッチをプッシュスイッチとしたことを特徴とする請求項１に記載のエレクトロルミネセンス表示装置。
【請求項４】
前記駆動回路基板を可撓性回路基板としたことを特徴とする請求項１乃至請求項３の何れかに記載のエレクトロルミネセンス表示装置。
【発明の詳細な説明】
【技術分野】
【０００１】
本発明は、有機エレクトロルミネセンス表示装置に係り、特にスイッチのハンドル面に画像表示を行う有機エレクトロルミネセンス表示パネルを装着し、当該スイッチの押し操作に対応して当該画像の表示・非表示を行う有機エレクトロルミネセンス表示装置に関するものである。
【背景技術】
【０００２】
近年、ディスプレイの軽量化・薄型化ニーズが高まる中、ＬＥＤ（発光ダイオード），ＰＤＰ（プラズマディスプレイ），ＬＣＤ（液晶ディスプレイ），ＥＬ（有機電界発光ディスプレイ）などの各種のフラットパネルディスプレイが開発・商品化されている。例えば、駅の券売機や公共施設の案内板に代表されるタッチパネル付き大型液晶ディスプレイも一般に浸透してきている。これらのデバイスは、ユーザーに画像情報を的確に提供し、また、画像情報上でユーザーの意思選択を実現可能にしている。
【０００３】
ユーザーに的確に画像情報を提供する身近なデバイスとしては、例えば屋内などで汎用されている照明負荷等の電気機器の点滅操作を行う配線用操作スイッチとして簡単な防水構造を有するタッチスイッチ等が知られている。このタッチスイッチにより開閉される負荷の動作状態をＥＬ（エレクトロルミネセンス）表示装置にて、上記タッチ検出用電極の形成されたタッチパネル部を照光して表示する照光式タッチスイッチ装置が提案されている。
【０００４】
図１０は、この種の照光式タッチスイッチ装置の外観図を示す図であり、図１０（ａ）は正面から見た平面図、図１０（ｂ）はその側面図である。図１０に示すようにこの照光式タッチスイッチＳＷは、内部に制御回路ＣＣが収納され、交流電源ＡＣを入力としてタッチパネルＴＰに人体の指等の接触を検出し、電気負荷Ｌの開閉を制御する構造となっている。なお、図中、ＳＢは壁面内に埋め込まれるスイッチボックスであり、ＳＣはスイッチボックスＳＢの前面に取り付け固定されるスイッチカバーである。
【０００５】
この照光式タッチスイッチ装置ＳＷは、図１１に要部ブロック図で示すようにタッチパネル１０１としてＣＲ発振回路１０２の出力によって人体に静電容量Ｃｍにて変動する電極１０３間の静電容量Ｃの変化を検出するタッチ検出部１０４と、このタッチ検出部１０４による検出結果に基づいて変化する検出出力状態を照光にて表示するタッチパネル１０１と実質的に一体化されて層状に形成されたＥＬ（エレクトロルミネセンス）表示装置１０５とを有し、このタッチ検出部１０４はタッチ判定処理部１０６を中心にしてＥＬ点滅制御部１０７と、負荷制御部１０８と、電源回路１０９とともに接続され、図１０に示す照光式タッチスイッチ装置ＳＷの内部に収納されている。
【０００６】
なお、この種のタッチパネル部を照光して画像を表示する照光式タッチスイッチ装置の技術は下記「特許文献１」に開示されている。
【０００７】
【特許文献１】特開平１０−１９０４３３号公報
【発明の開示】
【発明が解決しようとする課題】
【０００８】
しかしながら、上記構成による照光式タッチスイッチ装置は、図１１に示すようにＣＲ発振回路１０２の出力によって人体の静電容量Ｃｍにて変動する電極１０３間の静電容量Ｃの変化を検出するタッチ検出部１０４などの複雑でしかも煩雑な回路構成を有することから、構成部材及び製作コストなどが高価となり、延いては装置自体が高コスト化となり、拡販性が得られないなどの課題があった。
【０００９】
また、他のデバイスとして、駅の券売機や公共施設の案内板などに適用されるタッチパネル付き大型液晶表示パネルは、極めて高価であり、また、タッチパネルの制御系を含めると、極めて複雑な回路構成からなるデバイスである。さらにユーザーの用途を考慮すると、表示情報量が少なく、複雑で高価な大型液晶表示パネルは、オーバースペックとなっている。また、待機中や表示情報が粗表示の場合における消費電力も最大稼動時と比較してほぼ等価となるなどの課題があった。
【００１０】
したがって、本発明は前述した従来の課題を解決するためになされたものあり、その目的は、一般住宅のリビング照明用スイッチなどに代表される孤立した単純スイッチに画像表示パネルを装着することにより、利便性を向上させることができる有機エレクトロルミネセンス表示装置を提供することにある。
【００１１】
本発明の他の目的は、画像情報からの選択性を生かした画像情報が得られる有機エレクトロルミネセンス表示装置を提供することにある。
【００１２】
本発明のさらに他の目的は、提供する情報量に対応した消費電力とし、低消費電力化を実現可能とする有機エレクトロルミネセンス表示装置を提供することにある。
【００１３】
また、本発明の他の目的は、ユーザーに提供する表示情報を簡単な構成でしかも低コストで実現可能とする有機エレクトロルミネセンス表示装置を提供することにある。
【課題を解決するための手段】
【００１４】
このような目的を達成するために本発明による有機エレクトロルミネセンス表示装置は、器体の一面に露出して押操作により動作するハンドルを有し、且つハンドルの動作に伴って開閉する接点装置を有するスイッチと、このハンドル上に画像表示面を露出させて設置され、且つ画像表示面の押操作に対応してハンドルの動作に連動して画像情報を表示する有機エレクトロルミネセンス表示パネルからなるスイッチパネルと、このスイッチパネルの背面に設置され、且つ画像情報の表示の制御を行う駆動回路が搭載された回路基板とを設けることにより、背景技術の課題を解決することができる。
【００１５】
また、本発明による他の有機エレクトロルミネセンス表示装置、好ましくは、上記構成において、スイッチをシーソースイッチとすることにより、背景技術の課題を解決することができる。
【００１６】
また、本発明による他の有機エレクトロルミネセンス表示装置、好ましくは、上記構成において、スイッチをプッシュスイッチとすることにより、背景技術の課題を解決することができる。
【００１７】
また、本発明による他の有機エレクトロルミネセンス表示装置、好ましくは、上記構成において、駆動回路基板を可撓回路基板とすることにより、背景技術の課題を解決することができる。
【００１８】
なお、本発明は上記構成に限定されるものではなく、本発明の技術思想を逸脱することなく、種々の変更が可能である。
【発明の効果】
【００１９】
本発明による有機エレクトロルミネセンス表示装置によれば、複雑な構成及び制御を不要として画像情報から選択性を生かした画像情報が的確に得られるなどの極めて優れた効果が得られる。
【００２０】
また、本発明による有機エレクトロルミネセンス表示装置によれば、有機エレクトロルミネセンス表示パネルを使用することにより、提供する情報量に応じた消費電力となるので、低電力化が可能となるなどの極めて優れた効果が得られる。
【００２１】
また、本発明による他の有機エレクトロルミネセンス表示装置によれば、家庭用スイッチなどの孤立した単純スイッチにおいて、画像情報供給による利便性を向上させることができるとともに、既存のスイッチの規格を変更する必要がないので、拡販性に優れているなどなどの極めて優れた効果が得られる。
【発明を実施するための最良の形態】
【００２２】
以下、本発明による画像表示装置の具体的な実施の形態について、各実施例の図面を参照して詳細に説明する。
【実施例１】
【００２３】
図１は、本発明による有機エレクトロルミネセンス表示装置の実施例１による構成を説明する図であり、図１（ａ）は正面から見た要部平面図、図１（ｂ）は図１（ａ）のＡ−Ａ´線で切断した要部断面図である。図１において、参照符号１は樹脂材の成形体からなり、主面は開口窓２が形成されたスイッチカバーである。このスイッチカバー１は、例えば壁面などに埋め込まれているスイッチボックス３のフレーム４に嵌合または図示しないがネジ止めなどの手段により装着される構造となっている。
【００２４】
また、このスイッチカバー１の開口窓２内には、ユーザーに表示情報を画像表示させる有機エレクトロルミネセンス表示パネルからなるスイッチパネル５が装着されている。また、このスイッチカバー１の背面には、後述するがスイッチパネル５側に突出するハンドルを有し、このハンドルを押操作することによりシーソー動作を行い、このシーソー動作に伴って開閉する接点装置を有するシーソースイッチ本体６が設置されている。
【００２５】
なお、このシーソースイッチ本体６は、スイッチカバー１が装着されるフレーム４内に機械的に強固に取り付け固定されている構造となっている。また、図示しないが、このシーソースイッチ本体６のハンドルの前面には、スイッチパネル５が貼り付けなどによる接着または機械的な手段により取り付けられて固定配置されている。
【００２６】
また、このスイッチカバー１の背面側には、スイッチパネル５としての有機エレクトロルミネセンス表示パネルに表示する画像情報を制御する駆動回路基板７が設置されている。この駆動回路基板７は、図２にブロック図で示すようにスイッチパネル５に表示させる画像情報を切替える画像切替回路８と、この画像情報を例えばＲＯＭ等に格納した画像データ回路９と、スイッチパネル５を駆動させる駆動回路１０等とを有して構成されている。
【００２７】
この駆動回路基板７は、具体的には、図３に要部側面図で示すようにスイッチパネル５の一端部に形成されているフレキシブルプリント配線圧着部１１に接続されたフレキシブルプリント配線板１２上に実装されて折り畳まれた構造で形成されている。これによってスイッチパネル５の背面側にスペースを確保することができる。また、図１に示すようにこれらのシーソースイッチ本体６及び駆動回路基板７には、外部から供給される主電源１３及び例えば室内照明装置に電源を供給するＯＮ電源ライン１４が接続される構造となっている。
【００２８】
図４は、上述したスイッチパネル５を構成する有機エレクトロルミネセンス表示パネルの構成を説明する図であり、図４（ａ）は要部断面図を、図４（ｂ）はその要部斜視図をそれぞれ示している。図４において、スイッチパネル（有機エレクトロルミネセンス表示パネル）５は、表面に薄膜トランジスタ（ＴＦＴ）などのアクティブ素子１５，図示しない有機ＥＬ発光素子及びフレキシブルプリント配線圧着部１６などが形成されたデバイス基板１７と、色変換フィルタ透明基板１８との両基板間をシール材１９を用いて湿度を極微量まで低減した高純度乾燥窒素雰囲気中で封止してこの封止空間２０内に乾燥窒素ガスが封入されて構成され、色変換フィルタ透明基板１８の前面側に形成される有効表示領域ＡＲが画像情報を表示する画像表示部となる。なお、これらのデバイス基板１７及び色変換フィルタ透明基板１８には、透光性のガラス基板またはプラスチック基板などが用いられる。
【００２９】
図５は、上述したシーソースイッチ本体６の構成を説明する要部断面図である。図５に示すようにこのシーソースイッチ本体６を構成する器体６１は、絶縁性の樹脂成形体からなり、上面が開放された箱状のボディ６２の開口側に、上面に開放された開口窓６３ａを有するカバー６３が覆着され、図示しない金属製の組み立て枠により結合されて形成される構造となっている。また、このカバー６３の開口窓６３ａには、樹脂成形体からなり、前面が凸状に形成された操作面が押操作されるハンドル６４が露出して設置されている。このハンドル６４は、その左右両端側のうち、カバー６３の前面から突出して側を押操作することによってハンドル６４が交互にシーソー動作する構成となっている。
【００３０】
また、このハンドル６４には、その背面側の中央部分に筒部６５が一体的に設けられ、この筒部６５の内部にはコイルスプリング６６及びこのコイルスプリング６６の弾性力により筒部６５から突出する向きに付勢される押圧子６７が挿入されてハンドル６４の操作に連動する構成となっている。
【００３１】
また、器体６１を構成する箱状のボディ６２の底部には、その中央部及びその両側部には、高さの異なる底上げリブ６８，一体的に突起６９ａを有する底上げリブ６９及び底上げリブ７０がそれぞれ一体的に突出して形成されている。両端部の一方の底上げリブ６８には、弾性力を有する導電性金属板材の成形体からなり、端部に揺動支点部７１ａを形成した第１の接点端子板７１が支持され、ボディ６２の内壁面に固定されて配置されている。
【００３２】
また、他方の底上げリブ７０には、同様に弾性力を有する導電性金属板材の成形体からなり、端部に固定接点７２ａを形成した第２の接点端子板７２が支持され、ボディ６２の内壁面に固定されて配置されている。なお、第１の接点端子板７１は図１に示す主電源１３に接続され、第２の接点端子板７２はオン電源ライン１４に接続される。
【００３３】
また、このボディ６２の内部中央部分に形成された底上げリブ６９の上端部と第１の接点端子板７１の揺動支点部７１ａとの上部には、同様に弾性力を有する導電性金属板材の成形体からなり、上記第２の接点端子板７２の固定接点７２ａに対向する可動接点７３ａを形成した開閉子７３が揺動自在に設置されている。この開閉子７３は、その中央部分が前述した押圧子６７の先端部でコイルスプリング６６の付勢力により支持されている構造となっている。
【００３４】
また、この器体６１の前面に凸状に形成されたハンドル６４上には、画像情報を表示させる有機エレクトロルミネセンス表示パネルからなるスイッチパネル５が貼り付けなどによる接着または機械的な設置により固定配置され、このスイッチパネル５の前面（表示面）の押操作に対応してハンドル６４がシーソー動作する構造となっている。
【００３５】
このような構成において、シーソースイッチ本体６は、スイッチパネル５を押操作することによってハンドル６４のシーソー動作に連動して押圧子６７の揺動により開閉子７３の可動接点７３ａが接点端子板７２の固定接点７２ａから離間し、所謂スイッチオフ状態となり、また、再度の押操作することによって図５に示すように開閉子７３の可動接点７３ａが接点端子板７２の固定接点７２ａに接触し、所謂スイッチオン状態となる。このスイッチオン状態では、図１に示す主電源１３から電源ライン１４に電圧が供給される。
【００３６】
このような構成において、主電源１３のみの供給時には、つまり、シーソースイッチ６がオフ状態では、図６（ａ）に示すようにスイッチパネル５の前面には、待機画面としての黒バック地に最低限の情報として例えば「リビング照明」の画像が表示される。また、ＯＮ電源１４の供給時には、つまり、シーソースイッチ６がオン状態では、スイッチパネル５の前面には、図６（ｂ）に示すように例えば照明点灯中である「ペンダント」の画像がカラー表示される。なお、駆動回路基板７等にタイマー回路を設けることによって表示時間を制御し、待機画面に戻すことも可能である。
【実施例２】
【００３７】
図７は、本発明による有機エレクトロルミネセンス表示装置の実施例２による構成を説明する図である。図７（ａ）は正面から見た要部平面図、図７（ｂ）は図７（ａ）のＡ−Ａ´線で切断した要部断面図であり、前述した図と同一部分には同一符号を付し、その説明は省略する。本実施例では、自動販売機のディスプレイ近傍に設置される商品選択手段に適用した場合について説明する。図７において、図１と異なる点は、図１に示すシーソースイッチ本体６に代えて商品選択用プッシュスイッチ本体２１が設けられ、さらに駆動回路基板７には例えば図示しない自動販売機本体から販売商品に対応する画像データの選択信号を画像切替回路８に供給する画像制御回路２２が接続されている。図８はその概略ブロック図を示したものである。
【００３８】
このような構成において、自動販売機で所望の商品に対応する選択用プッシュスイッチ本体２１を外部から手動により押操作を繰り返す毎にプッシュスイッチ本体２１内の開閉子が固定接点に対して交互に接触・非接触を繰り返することにより、自動販売機のＯＮ電源ライン１４に所定の電圧が夫々供給・非供給される。
【００３９】
このような構成において、商品選択用プッシュスイッチ本体２１がオフの状態では、図９（ａ）に示すようにスイッチパネル５の前面には、待機画面としての黒バックに最低限の情報として例えば黒バック地「販売商品名」及び「Ｗｅｌｃｏｍｅ」の画像が表示される。また、プッシュスイッチ本体２１が押操作によりオンされると、ＯＮ電源１４（自動販売機側）に選択商品に対応して電圧が供給されるとともに、スイッチパネル５の前面には販売時（準備中）の情報として図９（ｂ）に示すように白バック地に「商品販売中」の画像がカラー表示され、さらに販売が終了すると、その情報として図９（ｃ）に示すように黒バック地に「Ｔｈａｎｋｓ」及び「販売商品名」の画像がカラー表示される。なお、自動販売機の画像選択信号により表示画像を任意に変更することができる。
【図面の簡単な説明】
【００４０】
【図１】本発明によるエレクトロルミネセンス表示装置の実施例１による構成を示す図である。
【図２】図１に示すエレクトロルミネセンス表示装置のブロック図である。
【図３】図２に示すフレキシブルプリント配線板の構成を示す側面図である。
【図４】エレクトロルミネセンス表示パネルの構成を示す図である。
【図５】本発明によるエレクトロルミネセンス表示装置に適用されるシーソースイッチ本体の構成を示す要部断面図である。
【図６】図１に示すスイッチパネルの前面に表示される表示画像を示す図である。
【図７】本発明によるエレクトロルミネセンス表示装置の実施例２による構成を示す図である。
【図８】図７に示すエレクトロルミネセンス表示装置のブロック図である。
【図９】図７に示すスイッチパネルの前面に表示される表示画像を示す図である。
【図１０】従来の照光式タッチスイッチ装置の構成を示す図である。
【図１１】図１０に示す照光式タッチスイッチ装置のブロック図である。
【符号の説明】
【００４１】
１・・・スイッチカバー、２・・・開口窓、３・・・スイッチボックス、４・・・フレーム、５・・・スイッチパネル、６・・・シーソースイッチ本体、７・・・駆動回路基板、８・・・画像切替回路、９・・・画像データ回路、１０・・・駆動回路、１１・・・フレキシブルプリント配線圧着部、１２・・・フレキシブルプリント配線板、１３・・・主電源、１４・・・オン電源ライン、１５・・・アクティブ素子、１６・・・フレキシブルプリント配線圧着部、１７・・・デバイス基板、１８・・・色変換フィルタ透明基板、１９・・・シール材、２０・・・封止空間、２１・・・プッシュスイッチ本体、２２・・・画像制御回路、６１・・・器体、６２・・・ボディ、６３・・・カバー、６４・・・ハンドル、６５・・・筒部、６６・・・コイルスプリング、６７・・・押圧子、６８・・・底上げリブ、６９・・・底上げリブ、６９ａ・・・突起、７０・・・底上げリブ、７１・・・第１の接点端子板、７１ａ・・・揺動支点部、７２・・・第２の接点端子板、７２ａ・・・固定接点、７３・・・開閉子、７３ａ・・・可動接点。
【図１】
2006073387.tif 000003
【図２】
2006073387.tif 000004
【図３】
2006073387.tif 000005
【図４】
2006073387.tif 000006
【図５】
2006073387.tif 000007
【図６】
2006073387.tif 000008
【図７】
2006073387.tif 000009
【図８】
2006073387.tif 000010
【図９】
2006073387.tif 000011
【図１０】
2006073387.tif 000012
【図１１】
2006073387.tif 000013